(57)【要約】【課題】回路遮断器において、開極時にアークが伸張して高い限流効果が得られ、接点の損傷を抑える。【解決手段】回路遮断器１は、第１の固定接点２１を有する第１の固定接触子１と、第２の固定接点３１を有する第２の固定接触子３と、第１の固定接点２１に対向する第１の可動接点４１及び第２の固定接点３１に対向する第２の可動接点４２を有する可動接触子４とを備える。可動接触子４は、第１の固定接点２１と第１の可動接点４１を結ぶ直線に対して略平行である平行電路部４３を有し、平行電路部４における電流方向と第１の固定接点２１から第１の可動接点４１への電流方向とが逆向きになっている。可動接触子４が開極する時に、第１の固定接点２１と第１の可動接点４１間のアークが、平行電路部４３を流れる電流の磁場によって伸張されるので、高い限流効果が得られ、接点の損傷を抑えることができる。【選択図】図１
2010272451.tif 000002
【特許請求の範囲】
【請求項１】
第１の固定接点を有する第１の固定接触子と、第２の固定接点を有する第２の固定接触子と、前記第１の固定接点に対向する第１の可動接点及び前記第２の固定接点に対向する第２の可動接点を有して開閉動作をする可動接触子と、を備えた回路遮断器において、
前記可動接触子は、第１の可動接点と第２の可動接点との間に、接点開極時における前記第１の固定接点と第１の可動接点を結ぶ直線に対して略平行である平行電路部を有し、
前記可動接触子の接点が第１の固定接触子及び第２の固定接触子の各接点から開極する時に、該開極により遮断されようとする前記平行電路部における電流方向と前記第１の固定接点から前記第１の可動接点への電流方向とが逆向きであり、前記平行電路部を流れる電流の磁場が前記第１の固定接点と第１の可動接点間のアークに作用することを特徴とする回路遮断器。
【請求項２】
前記各固定接触子及び可動接触子を覆う筐体を更に備え、
前記筐体は、開極時における前記第１の固定接点と第１の可動接点を結ぶ直線に対して、前記平行電路部と反対側に排気口を有したことを特徴とする請求項１に記載の回路遮断器。
【請求項３】
前記第１の固定接点から前記平行電路部を見たときに、該平行電路部の一部又は全部が見えないように該平行電路部の一部又は全部が絶縁体で覆われていることを特徴とする請求項１又は請求項２に記載の回路遮断器。
【請求項４】
前記第１の固定接点から前記平行電路部を見たときに、該平行電路部の一部又は全部が見えないように該第１の固定接点と平行電路部の間に第１の固定絶縁体を有することを特徴とする請求項１又は請求項２に記載の回路遮断器。
【請求項５】
前記平行電路部に対して前記第１の固定絶縁体とは反対側に第２の固定絶縁体を有し、
前記第１の固定絶縁体及び第２の固定絶縁体は、前記平行電路部を挟み前記可動接触子の開閉動作のガイドとなることを特徴とする請求項４に記載の回路遮断器。
【請求項６】
前記第２の固定接触子は、接点開極時における前記第２の可動接点と第２の固定接点を結ぶ直線に対して略平行である第２の平行電路部を有し、
前記可動接触子の接点が第１の固定接触子及び第２の固定接触子の各接点から開極する時に、該開極により遮断されようとする前記第２の平行電路部における電流方向と前記第２の可動接点から前記第２の固定接点への電流方向とが逆向きであり、前記第２の平行電路部を流れる電流の磁場が前記第２の可動接点と第２の固定接点間のアークに作用することを特徴とする請求項１に記載の回路遮断器。
【請求項７】
前記各固定接触子及び可動接触子を覆う筐体を更に備え、
前記筐体は、開極時における前記第２の可動接点と第２の固定接点とを結ぶ直線に対して、前記第２の平行電路部と反対側に排気口を有したことを特徴とする請求項６に記載の回路遮断器。
【請求項８】
前記第２の可動接点から前記第２の平行電路部を見たときに、該第２の平行電路部の一部又は全部が見えないように該第２の平行電路部の一部又は全部が絶縁体で覆われていることを特徴とする請求項６又は請求項７に記載の回路遮断器。
【発明の詳細な説明】
【技術分野】
【０００１】
本発明は、配線用回路遮断器、漏電遮断器を対象とした回路遮断器に関し、特に電流遮断部の構造に関する。
【背景技術】
【０００２】
従来、回路遮断器においては、同遮断器に具備された操作ハンドルを操作することにより電路を開閉する機能、即ち、スイッチ機能だけではなく、過電流等に起因する電線や負荷機器の焼損を未然に防止するために電路を遮断する役目を担っている。回路遮断器のこれらの機能を満足するための部品の一つとして、閉極状態では固定接触子と接触し、開極状態では固定接触子と開離する可動接触子が挙げられる。この可動接触子に接続される接続導体には、銅の平編線や積層した薄板で可撓性を持たせたシャントが、スペースの制約を受ける定格電流３０〜１００Ａの小型回路遮断器に採用されている。
【０００３】
しかしながら、このシャントは、前述した開閉機能において疲労断線の問題があり、開閉寿命を制限せざるを得なかった。そこで、この開閉寿命を改善する手段の一つとして、可動接触子と接続導体を摺動接触させ、この接続導体の外部に配設した接触ばねによって、可動接触子と接続導体の接触圧力を高める通電機構が知られている。この可動接触子と接続導体の電気的接触は、シャントを用いないことから、一般にはシャントレス通電機構と呼ばれている。
【０００４】
このシャントレス通電機構は、摺動面を必ず有することになるので、例えば、摺動面にごみ等が侵入する可能性も否定できない。また、摺動面が、酸化、窒化などを起こす可能性も否定できない。摺動面へのごみの侵入、摺動面の酸化等が起こると、摺動面の電気抵抗が大きくなり、回路遮断器の異常発熱が生ずることが考えられ、回路遮断器の信頼性を損なうことになる。
【０００５】
また、シャントレス通電機構であって、２点で開極／閉極を行なう２点切り式の回路遮断器が知られている（例えば特許文献１参照）。この回路遮断器を図１１及び１２を参照して説明する。回路遮断器１０１は、第１の固定接点１２１を有する第１の固定接触子１０２と、第２の固定接点１３１を有する第２の固定接触子１０３と、第１の固定接点１２１に対向する第１の可動接点１４１及び第２の固定接点１３１に対向する第２の可動接点１４２を有して開閉動作をする可動接触子１０４とを備えている。
【０００６】
第１の固定接触子１０２と第２の固定接触子１０３は平行に配置されており、可動接触子１０４は２つの可動接点をＵ字状のアーム先端に有している。可動接触子１０４は軸１０７を中心に回転して開閉動作を行なう。この回路遮断器１０１では、開極時に第１の固定接点１２１と第１の可動接点１４１間、及び第２の固定接点１３１と第２の可動接点１４２間でアークが発生するが、互いのアークの電流方向が逆向きなので電磁反発力が発生し、アークが互いにＧ方向に移動する。このアークによって、接点は溶融、蒸発して消耗し、アークが接点の外側に偏在すると、消耗箇所が接点の外側に集中して接点が片減りするので、閉極時に接触不良が発生し易い。この接触不良を防止するために、２対の固定接点と可動接点との間に磁性板１０８が設けられ、この磁性板１０８によって、電磁反発力を弱め、アークの外側への移動を少なくしている。
【０００７】
しかしながら、このような回路遮断器１０１においては、磁性板１０８によってアークの伸長が妨げられるので、アーク電圧の上昇が抑えられ高い限流効果が得られない。
【先行技術文献】
【特許文献】
【０００８】
【特許文献１】特開２００７−２８０９２８号公報
【発明の概要】
【発明が解決しようとする課題】
【０００９】
本発明は、上記問題を解消するものであり、開極時に接点間のアークが伸張して高い限流効果が得られ、接点の損傷が抑えられる回路遮断器を提供することを目的とする。
【課題を解決するための手段】
【００１０】
上記目的を達成するために請求項１の発明は、第１の固定接点を有する第１の固定接触子と、第２の固定接点を有する第２の固定接触子と、前記第１の固定接点に対向する第１の可動接点及び前記第２の固定接点に対向する第２の可動接点を有して開閉動作をする可動接触子と、を備えた回路遮断器において、前記可動接触子は、第１の可動接点と第２の可動接点との間に、接点開極時における前記第１の固定接点と第１の可動接点を結ぶ直線に対して略平行である平行電路部を有し、前記可動接触子の接点が第１の固定接触子及び第２の固定接触子の各接点から開極する時に、該開極により遮断されようとする前記平行電路部における電流方向と前記第１の固定接点から前記第１の可動接点への電流方向とが逆向きであり、前記平行電路部を流れる電流の磁場が前記第１の固定接点と第１の可動接点間のアークに作用するものである。
【００１１】
請求項２の発明は、請求項１に記載の回路遮断器において、前記各固定接触子及び可動接触子を覆う筐体を更に備え、前記筐体は、開極時における前記第１の固定接点と第１の可動接点を結ぶ直線に対して、前記平行電路部と反対側に排気口を有したものである。
【００１２】
請求項３の発明は、請求項１又は請求項２に記載の回路遮断器において、前記第１の固定接点から前記平行電路部を見たときに、該平行電路部の一部又は全部が見えないように該平行電路部の一部又は全部が絶縁体で覆われているものである。
【００１３】
請求項４の発明は、請求項１又は請求項２に記載の回路遮断器において、前記第１の固定接点から前記平行電路部を見たときに、該平行電路部の一部又は全部が見えないように該第１の固定接点と平行電路部の間に第１の固定絶縁体を有するものである。
【００１４】
請求項５の発明は、請求項４に記載の回路遮断器において、前記平行電路部に対して前記第１の固定絶縁体とは反対側に第２の固定絶縁体を有し、前記第１の固定絶縁体及び第２の固定絶縁体は、前記平行電路部を挟み前記可動接触子の開閉動作のガイドとなるものである。
【００１５】
請求項６の発明は、請求項１に記載の回路遮断器において、前記第２の固定接触子は、接点開極時における前記第２の可動接点と第２の固定接点を結ぶ直線に対して略平行である第２の平行電路部を有し、前記可動接触子の接点が第１の固定接触子及び第２の固定接触子の各接点から開極する時に、該開極により遮断されようとする前記第２の平行電路部における電流方向と前記第２の可動接点から前記第２の固定接点への電流方向とが逆向きであり、前記第２の平行電路部を流れる電流の磁場が前記第２の可動接点と第２の固定接点間のアークに作用するものである。
【００１６】
請求項７の発明は、請求項６に記載の回路遮断器において、前記各固定接触子及び可動接触子を覆う筐体を更に備え、前記筐体は、開極時における前記第２の可動接点と第２の固定接点とを結ぶ直線に対して、前記第２の平行電路部と反対側に排気口を有したものである。
【００１７】
請求項８の発明は、請求項６又は請求項７に記載の回路遮断器において、前記第２の可動接点から前記第２の平行電路部を見たときに、該第２の平行電路部の一部又は全部が見えないように該第２の平行電路部の一部又は全部が絶縁体で覆われているものである。
【発明の効果】
【００１８】
請求項１の発明によれば、平行電路部を流れる電流の磁場によって、第１の固定接点と第１の可動接点の間のアークが伸張して高い限流効果が得られるので、第１の固定接点及び第１の可動接点の損傷が抑えられる。
【００１９】
請求項２の発明によれば、第１の固定接点と第１の可動接点の間のアークによって発生したガスが排気口から排出されるので、アークがガスによって排気口の方に伸長される。このガスの排気方向と、アークが平行電路部を流れる電流から受けるローレンツ力の方向が同じなので、アークは更に伸長して高い限流効果が得られ、第１の固定接点及び第１の可動接点の損傷が更に抑えられる。
【００２０】
請求項３の発明によれば、平行電路部が絶縁体によって覆われているので、可動接触子が引き外されたときに平行電路部と第１の固定接点との間での短絡が防止され、平行電路部の損傷が防がれる。
【００２１】
請求項４の発明によれば、平行電路部が第１の固定絶縁体によって第１の固定接点から遮蔽されているので、可動接触子が引き外されたときに平行電路部と第１の固定接点との間での短絡が防止され、平行電路部の損傷が防がれる。
【００２２】
請求項５の発明によれば、可動接触子の開閉動作が、第１の固定絶縁体と第２の固定絶縁体とによってガイドされるので、可動接触子の開閉動作が安定し、回路遮断器の信頼性が向上する。
【００２３】
請求項６の発明によれば、第２の平行電路部を流れる電流の磁場によって、第２の可動接点と第２の固定接点の間のアークが伸張して高い限流効果が得られるので、第２の可動接点及び第２の固定接点の損傷が抑えられる。
【００２４】
請求項７の発明によれば、第２の可動接点と第２の固定接点の間のアークによって発生したガスが排気口から排出されるので、アークがガスによって排気口の方に伸長される。このガスの排気方向と、アークが第２の平行電路部を流れる電流から受けるローレンツ力の方向が同じなので、アークは更に伸長して高い限流効果が得られ、第２の可動接点及び第２の固定接点の損傷が更に抑えられる。
【００２５】
請求項８の発明によれば、第２の平行電路部が絶縁体によって覆われているので、可動接触子が引き外されたときに第２の平行電路部と第２の可動接点との間での短絡が防止され、第２の平行電路部の損傷が防がれる。
【図面の簡単な説明】
【００２６】
【図１】本発明の第１の実施形態に係る回路遮断器の構成図。
【図２】（ａ）は同回路遮断器の閉極時の側面図、（ｂ）は同回路遮断器の開極時の側面図。
【図３】本発明の第２の実施形態に係る回路遮断器の側面図。
【図４】本発明の第３の実施形態に係る回路遮断器の側面図。
【図５】本発明の第４の実施形態に係る回路遮断器の構成図。
【図６】（ａ）は同回路遮断器の閉極時の側面図、（ｂ）は同回路遮断器の開極時の側面図。
【図７】本発明の第５の実施形態に係る回路遮断器の構成図。
【図８】本発明の第６の実施形態に係る回路遮断器の側面図。
【図９】本発明の第７の実施形態に係る回路遮断器の側面図。
【図１０】本発明の第８の実施形態に係る回路遮断器の側面図。
【図１１】従来の回路遮断器の構成図。
【図１２】同回路遮断器の正面図。
【発明を実施するための形態】
【００２７】
（第１の実施形態）
本発明の第１の実施形態に係る回路遮断器１について図１を参照して説明する。回路遮断器１は、商用電源又は負荷機器の一方に接続される第１の固定接触子２と、商用電源又は負荷機器の他方に接続される第２の固定接触子３と、第１の固定接触子２及び第２の固定接触子３と開閉動作をする可動接触子４と、各接触子等を覆う筐体５（１点鎖線で表示。以降では図示略）とを備える。第１の固定接触子２と第２の固定接触子３とは、上下２段に平行に設けられており、第１の固定接触子２は上面に第１の固定接点２１を有し、第２の固定接触子３は上面に第２の固定接点３１を有している。可動接触子４はＵ字形状であり、上辺の下面に第１の固定接点２１に対向する第１の可動接点４１を有し、下辺の下面に第２の固定接点３１に対向する第２の可動接点４２を有している。
【００２８】
可動接触子４は、上辺と下辺の間に、接点開極時における第１の固定接点２１と第１の可動接点４１を結ぶ直線に略平行である平行電路部４３を有している。この平行電路部４３における電流方向と第１の固定接点２１から第１の可動接点４１への電流方向とは逆向きになっている。可動接触子４は、また、上辺と下辺の先端に、それぞれアークランナー４４、４５を有し、第２の固定接触子３は先端にアークランナー３２を有する。可動接触子４は上下方向にスライド移動して、開極／閉極動作を行なう。回路遮断器１は、第２の固定接触子３における電流や電圧等を検出部（図示なし）によって検出し、過電流等の異常が検出されると引き外し部（図示なし）によって、可動接触子４をスライド移動させて引き外し、電路を遮断する。
【００２９】
次に、回路遮断器１の遮断動作について図２（ａ）及び（ｂ）を参照して説明する。図２（ａ）に示すように、閉極時には、第１の固定接点２１は第１の可動接点４１と、第２の固定接点３１は第２の可動接点４２に接触し、商用電源からの電力は第１の固定接触子２、可動接触子４、第２の固定接触子３を経由して負荷機器に伝達される。続いて、過電流等の通電異常が発生すると、図２（ｂ）に示すように可動接触子４は第１の固定接触子２及び第２の固定接触子３から上方に引き外される。このとき、第１の固定接点２１と第１の可動接点４１の間、及び第２の可動接点４２と第２の固定接点３１の間でアークが発生する。
【００３０】
このときの第１の固定接点２１と第１の可動接点４１との間に発生するアークにおける電流の向きがＡ方向であるとすると、平行電路部４３における電流の向きがＢ方向になるので、アークの付近には磁場が紙面を手前から奥の方へ向けて発生する。この磁場によってアークはＣ方向にローレンツ力を受けて弧状に伸張される。これに伴い、アーク電圧が上昇し、高い限流効果が得られる。このため、アークが早く消滅し第１の固定接点２１と第１の可動接点４１の損傷が抑えられる。また、アークがローレンツ力によって可動接触子４の先端であるアークランナー４４や第１の固定接触子２に移動するので、第１の可動接点４１や第１の固定接点２１の片減りが減少し、接点の接触不良が発生し難くなる。また、第１の固定接触子２、第２の固定接触子３、及び可動接触子４が上下方向に配置されているので、回路遮断器１の幅を狭くすることができる。
【００３１】
本実施形態によれば、平行電路部４３を流れる電流の磁場によって、第１の固定接点２１と第１の可動接点４１の間のアークが伸張して高い限流効果が得られるので、第１の固定接点２１及び第１の可動接点４１の損傷が抑えられる。
【００３２】
（第２の実施形態）
本発明の第２の実施形態に係る回路遮断器について図３を参照して説明する。本実施形態において、第１の実施形態の回路遮断器と同等の構成については説明を省略する。本実施形態の回路遮断器１は、第１の実施形態の構成に加えて、アークにより発生したガスを排気する排気口５１を筐体５（図１参照）に有している。排気口５１は、接点開極時における第１の固定接点２１と第１の可動接点４１を結ぶ直線に対して、平行電路部４３と反対側方向に設けられている。可動接触子４が引き外されて第１の固定接点２１と第１の可動接点４１との間にアークが発生し、アークによって発生したガスが、排気口５１から排出される。このガスの排気方向と、アークが平行電路部４３を流れる電流から受けるローレンツ力の方向が同じなので、アークは第１の実施形態よりも更に伸長される。
【００３３】
本実施形態によれば、アークによって発生したガスが、排気口５１から排出されるので、アークがガスによって排気口５１の方に更に伸長して高い限流効果が得られ、第１の固定接点２１及び第１の可動接点４１の損傷が更に抑えられる。
【００３４】
（第３の実施形態）
本発明の第３の実施形態に係る回路遮断器について図４を参照して説明する。本実施形態の回路遮断器１は、第１の実施形態の構成に加えて、第１の固定接点２１と平行電路部４３との間の短絡を防止する絶縁体６１を有している。絶縁体６１は、第１の固定接点２１から平行電路部４３を見たときに、平行電路部４３が見えないように、平行電路部４３の全体を覆っている。絶縁体６１は、例えばナイロンやＰＢＴ等の絶縁材により成り、平行電路部４３に固定されている。
【００３５】
本実施形態によれば、平行電路部４３が絶縁体６１によって覆われているので、可動接触子４が引き外されたときに平行電路部４３と第１の固定接点２１との間での短絡が防止され、平行電路部４３の損傷が防がれる。なお、絶縁体６１は平行電路部４３の一部を覆うものであっても構わない。
【００３６】
（第４の実施形態）
本発明の第４の実施形態に係る回路遮断器について図５及び６を参照して説明する。本実施形態の回路遮断器１は、第１の実施形態の構成に加えて、第１の固定接点２１と平行電路部４３の間に、閉極時及び開極時において第１の固定接点２１から平行電路部４３を遮蔽するための第１の固定絶縁体６２を有している。この固定絶縁体６２は、第１の固定接点２１から平行電路部４３を見たときに、平行電路部４３が見えないように、平行電路部４３を遮蔽している。
【００３７】
本実施形態の可動接触子４は、上辺から上方に立ち上がった伸長電路部４６と、これと平行電路部４３とを接続する連結部４７を有している。第１の固定絶縁体６２は、Ｌ字形状であり、平行電路部４３と伸長電路部４６と連結部４７に囲まれた空間と第１の固定接触子２の下側に位置するように回路遮断器１のシャーシ（図示なし）に取り付けられている。第１の固定絶縁体６２は、例えばナイロンやＰＢＴ等の絶縁材により成っている。このような構成により、可動接触子４が開閉動作を行なっても、第１の固定絶縁体６２が可動接触子４の平行電路部４３と下辺を第１の固定接点２１及び第１の固定接触子２から遮蔽することができる。
【００３８】
本実施形態によれば、平行電路部４３が第１の固定接点２１から遮蔽されるので、可動接触子４が引き外されたときに平行電路部４３と第１の固定接点２１との間での短絡が防止され、平行電路部４３の損傷が防がれる。また、第１の固定絶縁体６２が、可動接触子４ではなくシャーシに取り付けられているので、可動接触子４の開閉動作によって第１の固定絶縁体６２が外れる虞が少なく、回路遮断器１の信頼性が向上する。また、第１の固定絶縁体６２の平行電路部４３と平行な辺長を短くしたときは、可動接触子４は第１の実施形態と同様の形状でよい。その場合は、第１の固定絶縁体６２は、第１の固定接点２１から平行電路部４３を見たときに、平行電路部４３の一部が見えないように取り付けられることになる。また、第１の固定絶縁体６２は、Ｌ字形状に限られるものではなく、第１の固定接触子２の下側辺のないＩ字形状であってもよい。
【００３９】
（第５の実施形態）
本発明の第５の実施形態に係る回路遮断器について図７を参照して説明する。本実施形態の回路遮断器１は、第４の実施形態の構成に加えて、可動接触子４の開閉動作をガイドする第２の固定絶縁体６３を有している。この固定絶縁体６３は、平行電路部４３に対して第１の固定絶縁体６２とは反対側にシャーシに取り付けられており、第１の固定絶縁体６２との間に平行電路部４３を挟んで可動接触子４の開閉動作のガイドを行なう。第２の固定絶縁体６３は、例えばナイロンやＰＢＴ等の絶縁材により成っている。
【００４０】
本実施形態によれば、可動接触子４の開閉動作が、第１の固定絶縁体６２と第２の固定絶縁体６３とによってガイドされるので、可動接触子４の開閉動作が安定し、回路遮断器１の信頼性が向上する。
【００４１】
（第６の実施形態）
本発明の第６の実施形態に係る回路遮断器について、図８を参照して説明する。本実施形態の回路遮断器１は、第１の実施形態の構成に加えて、第２の可動接点４２と第２の固定接点３１の間のアークを伸長させる第２の平行電路部３３を第２の固定接触子３に有している。第２の平行電路部３３は、第２の固定接触子３から上方に立ち上がっており、第２の可動接点４２と第２の固定接点３１とを結ぶ直線に対して略平行であり、第２の平行電路部３３における電流方向と第２の可動接点４２から第２の固定接点３１への電流方向とが逆向きになっている。
【００４２】
本実施形態によれば、可動接触子４が開極動作を行なうとき、第２の可動接点４２と第２の固定接点３１の間のアークにおける電流の向きがＤ方向であるとすると、第２の平行電路部３３における電流の向きがＥ方向になるので、アークの付近には磁場が紙面を奥から手前へ向けて発生する。この磁場によって第１の実施形態と同様にアークはＦ方向にローレンツ力を受けて弧状に伸張するので高い限流効果が得られ、第２の可動接点４２及び第２の固定接点３１の損傷が抑えられる。また、アークがローレンツ力によって可動接触子４の先端であるアークランナー４５や第２の固定接触子３の先端であるアークランナー３２に移動するので、第２の可動接点４２及び第２の固定接点３１の片減りが減少し、接点の接触不良が発生し難くなる。
【００４３】
（第７の実施形態）
本発明の第７の実施形態に係る回路遮断器について図９を参照して説明する。本実施形態の回路遮断器１は、第６の実施形態の構成に加えて、アークにより発生したガスを排気する排気口５２を筐体５に有している。排気口５２は、接点開極時における第２の可動接点４２と第２の固定接点３１を結ぶ直線に対して、第２の平行電路部３３と反対側方向に設けられている。この排気口５２により、第２の実施形態と同様に、可動接触子４が引き外されて第２の可動接点４２と第２の固定接点３１の間にアークが発生したときに、アークによって発生したガスが、排気口５２から排出される。ガスが排気口５２から排出されるので、アークがガスによって排気口５２の方に伸長される。このガスの排気方向と、アークが第２の平行電路部３３を流れる電流から受けるローレンツ力の方向が同じなので、アークは第６の実施形態よりも更に伸長される。これにより、高い限流効果が得られ、第２の可動接点４２及び第２の固定接点３１の損傷が更に抑えられる。
【００４４】
（第８の実施形態）
本発明の第８の実施形態に係る回路遮断器について図１０を参照して説明する。本実施形態の回路遮断器１は、第６の実施形態の構成に加えて、第２の可動接点４２と第２の平行電路部３３との間の短絡を防止する絶縁体６４を有している。絶縁体６４は、第２の可動接点４２から第２の平行電路部３３を見たときに、第２の平行電路部３３が見えないように、第２の平行電路部３３の全体を覆っている。絶縁体６４は、例えばナイロンやＰＢＴ等の絶縁材により成り、第２の平行電路部３３に固定されている。なお、絶縁体６４は、第２の平行電路部３３の一部を覆うものであっても構わない。
【００４５】
本実施形態によれば、第２の平行電路部３３が、絶縁体６４によって覆われているので、可動接触子４が引き外されたときに第２の可動接点４２と第２の平行電路部３３との間での短絡が防止され、第２の平行電路部３３の損傷が抑えられる。絶縁体６４が可動接触子４の開閉動作のガイドを行なうようにしてもよい。これにより、可動接触子４の開閉動作が安定し、回路遮断器１の信頼性が向上する。
【００４６】
なお、本発明は、上記実施形態の構成に限られず、発明の趣旨を変更しない範囲で種々の変形が可能である。例えば、上記の各実施形態を組み合わせて実施してもよい。また、各実施形態では１極式の回路遮断器を示したが、極数は複数でもよい。
【符号の説明】
【００４７】
１  回路遮断器
２  第１の固定接触子
２１  第１の固定接点
３  第２の固定接触子
３１  第２の固定接点
３３  第２の平行電路部
４  可動接触子
４１  第１の可動接点
４２  第２の可動接点
４３  平行電路部
５  筐体
５１、５２  排気口
６１、６４  絶縁体
６２  第１の固定絶縁体
６３  第２の固定絶縁体
【図１】
2010272451.tif 000003
【図２】
2010272451.tif 000004
【図３】
2010272451.tif 000005
【図４】
2010272451.tif 000006
【図５】
2010272451.tif 000007
【図６】
2010272451.tif 000008
【図７】
2010272451.tif 000009
【図８】
2010272451.tif 000010
【図９】
2010272451.tif 000011
【図１０】
2010272451.tif 000012
【図１１】
2010272451.tif 000013
【図１２】
2010272451.tif 000014